(57)【特許請求の範囲】
【請求項１】
帯状で可撓性を有するインナーベルトの一端を一方の靴甲被の不踏部下辺に縫着し、他端を舌片の上部を周回して他方の靴甲被まで周回して該他方の甲被に開設した貫通孔に挿通して外方に引き出し、この引き出された他端側に係合部を設けるとともに、この係合部を着脱自在に係合させる被係合部を前記一方の靴甲被または他方の靴甲被の外側に設け、前記係合部がベルベットファスナーで、被係合部がファスナーとされてなるインナーベルトを備えた運動靴。
【請求項２】
前記貫通孔に合成樹脂材からなる環状部材を装着してなる請求項１記載のインナーベルトを備えた運動靴。
【請求項３】
前記甲被に開設した貫通孔が中敷の上面近傍に位置する請求項１記載のインナーベルトを備えた運動靴。
【発明の詳細な説明】
【０００１】
【発明の属する技術分野】
この発明は、運動量の激しいスポーツに着用するのに好適なインナーベルトを備えた運動靴に関するものである。
【０００２】
【従来の技術】
バレーボールやバスケットボールのように激しい運動を伴うスポーツ用の運動靴においては、足と靴との密着具合が悪くてフィットしなかったり、土踏まず部（以下、不踏部と称す）に隙間があって靴内に足の遊びが生じると、運動中に足が滑動して充分な運動ができなくなる問題がある。
【０００３】
そこで、足と靴との密着を良くするためのインナーベルト付き運動靴が提案されている（実公平２−３２９１号公報参照）。
この運動靴は、中央部が広幅で両側部が帯状のベルトにしたインナーベルトを備えており、このインナーベルトの広幅部を靴の中敷と中底の間に挿入して、帯状のベルト部を靴甲被に設けたベルト挿通穴に挿入露出して帯状のベルト部を着脱締緩するようになっている。
この運動靴は、インナーベルトによって中敷と靴甲被とを締緩するから、足と靴との密着性が向上して不踏部に遊びがなくなり、一体感で履用できるというものである。
【０００４】
【発明が解決しようとする課題】
しかしながら、上記従来の運動靴は、インナーベルトの広幅部が靴の中敷と中底の間に挿入されているだけなので、帯状のベルト部で中敷と靴甲被とを締緩したときは、足の不踏部をインナーベルトが上方に向けて締め付けている状態となる。
このため、激しい運動中には、中敷と足裏との間に隙間が生じて不踏部を固定できず、充分な一体感を保ち続けることができないために運動能力が低下する問題が残されていた。
また、上記インナーベルト付き運動靴は、ベルト部を靴甲被に周回して中敷と靴甲被とを締緩するのであるが、この靴甲被は一般に硬い材料で形成しているので、不踏部に対する締め付け力が充分に作用せず、前述のように足と靴との一体感を保つうえで難点があった。
【０００５】
【発明が解決しようとする課題】
そこで、本願の請求項１記載の発明は、激しい運動中であっても、中敷きと足裏とを常に固定状態に保つことにより、運動能力が低下することなく、意のままにスムーズで軽快な運動を行うことができると共に、インナーベルトの締め付け力調整が簡単で、係合時に外れることなく確実に保持されるインナーベルトを備えた運動靴を提供することを目的としている。
また、本願の請求項２項記載の発明は、インナーベルトによる足の締め付け力調整を行い易くなるうえ、運動中にインナーベルトがスムーズに作用して足に無理な負担をかけないインナーベルトを備えた運動靴を提供することを目的としている。
【０００６】
また、本願の請求項３項記載の発明は、インナーベルトと中敷とにより足の不踏部を包むように締め付けてフィットさせるインナーベルトを備えた運動靴を提供することを目的としている。
【０００７】
【課題を解決するための手段】
上記目的を達成するため、本願の請求項１記載の発明は、帯状で可撓性を有するインナーベルトの一端を一方の靴甲被の不踏部下辺に縫着し、他端を舌片の上部を周回して他方の靴甲被まで周回して該他方の甲被に開設した貫通孔に挿通して外方に引き出し、この引き出された他端側に係合部を設けるとともに、この係合部を着脱自在に係合させる被係合部を前記一方の靴甲被または他方の靴甲被の外側に設け、前記係合部がベルベットファスナーで、被係合部がファスナーとされてなることを特徴としている。
【０００８】
また、本願の請求項２項の発明は、請求項１記載の発明の構成において、前記貫通孔に合成樹脂材からなる環状部材を装着してなることを特徴としている。
【０００９】
また、本願の請求項３記載の発明は、請求項１記載の発明の構成において、前記甲被に開設した貫通孔が中敷の上面近傍に位置することを特徴としている。
【００１０】
【発明の実施の形態】
以下、本発明の実施の形態を、図示例と共に説明する。
図１は、本発明の実施の形態に係わるインナーベルトを備えた運動靴を示す側面図、図２は、インナーベルトの装着状態を示す運動靴を示す側面図である。
【００１１】
この運動靴１は、バレーボールシューズやバスケットボールシューズ等のスポーツシューズに２本のインナーベルト１１，１２を備えたもので、このインナーベルト１１，１２によって足と靴１とをフィットさせる構成となっている。
この運動靴１は、靴底２に一体化される靴甲被３の前部上面に、Ｕ字状の開口部４を設けており、この開口部４の周縁に靴紐６を挿通するための鳩目５を多数配設している。７は、開口部４の前側から外側に延出する舌片である。
前記靴甲被３は、他方側３Ｂの不踏部８に近接して前後の２箇所に間隔をあけて貫通孔が開設されている。そして、この各貫通孔には、前記インナーベルトを挿入可能な大きさの長孔を有する環状で、プラスチック製のベルト通し環９，１０がそれぞれ嵌着されている。
【００１２】
前記インナーベルト１１，１２は可撓性に富む帯状部材により形成され、一方の靴甲被３Ａの不踏部下片８ａから前記舌片７の上部を周回して他方の靴甲被３Ａのベルト通し環９，１０をそれぞれ通し、前記鳩目５側にまで達する長さを有している。各インナーベルト１１，１２は基端１１ａ，１２ａ側が不踏部下辺８ａの前後に縫着されるようになっており、図２に示す如く各先端１１ｂ，１２ｂ側には係合部としてベルベットファスナー１１ｃ，１２ｃを設けている。
これらインナーベルト１１，１２は、靴甲被３の上部に露出する部分で容易に締めたり緩めたりの調整ができるように、前記帯状部材により形成された短い補助ベルト１３，１４を備えている。この各補助ベルト１３，１４は、基端１３ａ，１４ａ側に靴紐６を通すための小孔１３ａ，１４ａを穿設してあり、先端側には前記インナーベルト１１，１２のベルベットファスナー１１ｃ，１２ｃに略等しい長さのベルベットファスナー１３ｂ，１４ｂを設けている。
【００１３】
ところで、上記インナーベルト１１，１２は、図３に前部側１１を示すように、各基端１１ａ，１２ａを一方の靴甲被３Ａの不踏部下辺８ａにおける底部１５と中敷１６との間に、長手方向に所要の間隔をあけて縫着する。そして、両インナーベルト１１，１２を一方の靴甲被３Ａの内側に沿わせるようにしてから前記舌片７の上部を周回させ、他方の靴甲被３Ｂの内側に沿うようにしてベルト通し環９，１０に挿通し外側へ引き出す。
この際、先端１１ａ，１２ａ側のベルベットファスナー１１ｃ，１２ｃが表向きになるように折り返しておく。また、各補助ベルト１３，１４は、図１に示した如く靴紐６を鳩目５に通すときに各小孔１３ａ，１４ａにも通すことにより補助ベルト１３、１４の基端側を保持し、先端のベルベットファスナー１３ｂ，１４ｂがベルベットファスナー１１ｃ，１２ｃと対面するようにしておく。
これにより、インナーベルト１１，１２のベルベットファスナー１１ｃ，１２ｃを補助ベルト１３，１４のベルベットファスナー１３ｂ，１４ｂに着脱自在に係合して、使用者が任意に締め付け調節できるようになる。
【００１４】
しかして、このインナーベルト１１，１２を備えた運動靴１を着用するときは、靴内に足を挿入してから、インナーベルト１１，１２の基端１１ａ，１２ａ側と補助ベルト１３，１４の先端側とを合わせてベルベットファスナー１１ｃと１３ｂおよび１２ｃと１４ｂ相互を止着する。この際、使用者がインナーベルト１１，１２および補助ベルト１３，１４を引っ張ったり、緩めたりすることで締め付け調節する際、貫通孔にはベルト通し環９，１０が嵌着されているので、インナーベルト１１，１２の滑りがよく調節が容易に行える。
【００１５】
このようにして、２本のインナーベルト１１，１２を締め付けると、これらインナーベルト１１，１２が足の内側から舌片７を介して足の甲皮側を周回し、かつ足の外側に到ることにより、足を包む状態となる。よって、足の上部側から下部側に向けて押圧力が作用し、足の不踏部が靴１の中敷１６側に押し付けられ、この中敷１６と足とが密着する。このため、両者１，１６間に間隙や遊びが生じなくなって、靴１に足がフィットする。
特に、２本のインナーベルト１１，１２が靴甲被３の上面でなく舌片７の上面から周回していることから、柔軟性に優れ足が柔軟に締め付けられる。
これらにより、ランニング時は勿論、バレーボールやバスケットボールのように激しい運動中であっても、中敷１６と足裏とが固定状態に保たれ、常に、フィット感を保ち続けることができる。従って、運動能力が低下することなく、意のままにスムーズで軽快な運動を行うことができる。
【００１６】
図４は、インナーベルトを備えた運動靴の他の実施態様を示す断面図である。
この運動靴は上記インナーベルトを備えた運動靴と基本的な構成が同一でありインナーベルトの係合構造のみ異なるので、同一部分には同一符号を付して説明する。
この運動靴のインナーベルト１７は、靴甲被３のベルト通し環９を通して外方に引き出した先端１７ｂが開口部４を周回して一方の靴甲被３Ａの上部側に達する長さにしている。そして、この先端１７ｂ側にベルベットファスナー１７ｃを設けるとともに、前記一方の靴甲被３Ａの上部側には、ベルベットファスナー１７ｃを着脱自在に係合するための面ファスナー１８を装着している。
【００１７】
このインナーベルト１７を備えた運動靴１は、一方の靴甲被３Ａの不踏部下辺８ａから前記舌片７の上部を周回して他方の靴甲被３Ｂのベルト通し環９で折り返され、さらに、靴甲被３の上方を周回して一方の靴甲被３Ａの上部に達するので、二重に足を包む状態となる。
特に、インナーベルト１７の先端１７ｂが靴紐６でなく、面ファスナー１８により靴甲被３に固定されるので、運動中に緩みが生じることなく、より確実に靴１と足とを密着させることができる。
【００１８】
なお、上記各実施の態様においては、係合部をベルベットファスナーとする一方、被係合部を同じベルベットファスナーあるいは面ファスナーとしたが、着脱自在に係合できるものであれば、ホックやスナップといった他の係合具を用いてもよいのは勿論である。
【００１９】
【発明の効果】
以上説明したように、本願の請求項１記載の発明は、インナーベルトが舌片を介して足の甲側を周回し、足を包む状態となって中敷と足との間に間隙や遊びが生じなくなり、靴に足がフィットする。よって、激しい運動中であっても、中敷と足裏とが常に固定状態に保てるから、運動能力が低下することなく、意のままにスムーズで軽快な運動を行うことができる効果がある。また、係合部をベルベットファスナーとし、被係合部を面ファスナーとしていることから、インナーベルトの締め付け力調整が簡単で、係合時にはインナーベルトが外れることなく確実に保持される効果がある。
【００２０】
また、本願の請求項２項記載の発明は、貫通孔に合成樹脂材からなる環状部材を装着してあるので、インナーベルトの滑りがよく、締め付け力調整を行い易くなるうえ、運動中にインナーベルトがスムーズに作用するので、足に無理な負担をかけないといった効果がある。
【００２１】
また、本願の請求項３項記載の発明は、甲被に開設した貫通孔が中敷の上面近傍に位置するので、インナーベルトと中敷とにより足の不踏部を包むように締め付けてフィットさせる効果がある。
【図面の簡単な説明】
【図１】本発明の実施の形態に係るインナーベルトを備えた運動靴を示す側面図である。
【図２】インナーベルトの装着状態を示す側面図である。
【図３】インナーベルトを備えた運動靴を示す断面図である。
【図４】他の実施の形態に係るインナーベルトを備えた運動靴を示す断面図である。
【符号の説明】
３Ａ  一方の靴甲被
３Ｂ  他方の靴甲被
７  舌片
８ａ  不踏部下片
１１，１２  インナーベルト
１１ａ，１２ａ  一端
１１ｂ，１２ｂ  他端
１１ｃ，１２ｃ  係合部
１３ｂ，１４ｂ  被係合部
【図１】
0003586849.tif 000002
【図２】
0003586849.tif 000003
【図３】
0003586849.tif 000004
【図４】
0003586849.tif 000005